(57)【要約】【課題】給湯装置２１の制御をする台所リモコン２２と風呂リモコン３が設置されており、風呂リモコン３にはテレビ機能とインターホンからの画像を表示する機能が付加されている場合、風呂リモコン３でテレビ画像やインターホンの画像を見ているときに台所リモコン２２の電源スイッチ２２ａが押されると風呂リモコン３の画面がリモコン用の画面に切り替わり、入浴者が驚く。【解決手段】台所リモコン２２の電源スイッチ２２ａが押されても風呂リモコン３の画像が切り替わらないようにした。【選択図】  図１
2004293974.tif 000002
【特許請求の範囲】
【請求項１】
浴室内に取り付けられ、給湯装置の作動を制御するリモコン部と、テレビ画像を表示するテレビ部と、リモコン部からの画像とテレビ部からの画像を択一的に表示するモニタとを備えると共に、インターホンの親機から送信されてきた画像をこのモニタに表示させる機能を有し、リモコン部用の電源スイッチとテレビ部用の電源スイッチとを各々設けられており、モニタにテレビ部からの画像とインターホンの親機からの画像との少なくとも一方が表示させている状態でリモコン部の電源スイッチが押されるとモニタの表示がリモコン部からの画像に切り替わる風呂リモコンであって、台所等の浴室以外に設置された他のリモコンと共に給湯装置に接続されるものにおいて、モニタにリモコン部からの画像以外の画像が表示されている状態で、上記他のリモコンの電源スイッチが押されて上記リモコン部の作動が開始された場合に、モニタの画面をリモコン部からの画像に切り替えないことを特徴とするインターホン画像表示機能付き風呂リモコン。
【請求項２】
リモコン部からの画像とテレビ部からの画像とのいずれか一方がモニタに表示されている状態で、インターホンの親機からの画像が入力されると、その親機からの画像を優先してモニタに表示させることを特徴とする請求項１記載のインターホン画像表示機能付き風呂リモコン。
【発明の詳細な説明】
【０００１】
【発明の属する技術分野】
本発明は、リモコン機能とテレビ機能とを備え、かつインターホンの親機から送られてくる画像を表示する機能を有し、浴室に設置されるインターホン画像表示機能付き風呂リモコンに関する。
【０００２】
【従来の技術】
浴室には給湯装置の作動を制御するためのリモコンが設置されている。また、近年入浴中にテレビ画像を見ることについての要求が高まっており、浴室内にテレビ装置を設置する例が増加している。さらに、上記の風呂リモコンとテレビ装置を別個に設置するのではなく、リモコンとしての機能とテレビ装置としての機能を併せ持った風呂リモコンが知られている。
【０００３】
この風呂リモコンでは、前面に液晶モニタを備えており、内部にはリモコン機能を発揮するリモコン部とテレビ装置としての機能を発揮するテレビ部とが配置されている。また、リモコン機能とテレビ機能とは必ずしもリンクさせて使用する必要がないので、リモコン部を作動させるための電源スイッチと、テレビ部を作動させるための電源スイッチとが別個に設けられている場合がある。
【０００４】
一方、玄関にテレビカメラを備えた玄関子機を設置し、室内のインターホンの親機で訪問者を画像でチェックするインターホンが知られている。このインターホンを用いて訪問者を確認し、家族や友人であれば室内から玄関のロックを解除するロック解除機能を備えている場合がある。
【０００５】
ただし、訪問者が来訪したときに家人が誰もおらず入浴中であれば来訪者を確認することができない。そのため、インターホンの親機から送信される来訪者の画像を浴室に設置した風呂リモコンに表示させるようにしたシステムが知られている（例えば、特許文献１参照）。
【０００６】
【特許文献１】
特開２０００−２９２００１号公報（段落番号００１１、図１）
【０００７】
【発明が解決しようとする課題】
上述の風呂リモコンでは、例えばテレビ部を作動させて液晶モニタにテレビ部からの画像であるテレビ画像を表示させている状態やインターホンの親機から送られてくる来訪者の画像を表示させている状態で、リモコン部側の電源スイッチを押すと、リモコン側の作動が開始されると共に、液晶モニタの表示がテレビ部からの画像や来訪者の画像がリモコン部からの画像に自動的に切り替わるようにすることが望まれる。すなわち、テレビ部からの画像や来訪者の画像を見ているときであっても、リモコン側の電源スイッチを押すと言うことは、テレビ画面や来訪者を見ることを中断して風呂リモコンを給湯装置のリモコンとして使用したいことを示しているからである。
【０００８】
給湯装置には上記の風呂リモコンの他に、浴室以外のたとえば台所に設置された台所リモコンが接続されている。この台所リモコンにも電源スイッチが設けられており、風呂リモコンの電源スイッチが押されると台所リモコンと共に風呂リモコンのリモコン部の電源が投入される。
【０００９】
すると、風呂リモコンに設けられているリモコン部用の電源スイッチが押されたのと同じ状態になり、風呂リモコンの液晶モニタにテレビ部からの画像やインターホンの親機からの画像が表示されていてもリモコン部からの画像に切り替わってしまう。ところが、風呂リモコンの液晶モニタに表示されているテレビ画像や来訪者の画像を見ていた入浴者は表示されている内容がリモコン画面に突然切り替わるので驚く。
【００１０】
このような場合には、テレビ部側の電源スイッチを押せばこの電源スイッチが画面切替スイッチとして機能して、液晶モニタの画像はリモコン部からの画像からふたたびテレビ部からの画像やインターホンの親機からの画像に戻すことは可能である。ただし、入浴者はこのように切り替え操作をしなければならない。
【００１１】
そこで本発明は、上記の問題点に鑑み、上述のような不具合の生じないインターホン画像表示機能付き風呂リモコンを提供することを課題とする。
【００１２】
【課題を解決するための手段】
上記課題を解決するために本発明によるインターホン画像表示機能付き風呂リモコンは、浴室内に取り付けられ、給湯装置の作動を制御するリモコン部と、テレビ画像を表示するテレビ部と、リモコン部からの画像とテレビ部からの画像を択一的に表示するモニタとを備えると共に、インターホンの親機から送信されてきた画像をこのモニタに表示させる機能を有し、リモコン部用の電源スイッチとテレビ部用の電源スイッチとを各々設けられており、モニタにテレビ部からの画像とインターホンの親機からの画像との少なくとも一方が表示させている状態でリモコン部の電源スイッチが押されるとモニタの表示がリモコン部からの画像に切り替わる風呂リモコンであって、台所等の浴室以外に設置された他のリモコンと共に給湯装置に接続されるものにおいて、モニタにリモコン部からの画像以外の画像が表示されている状態で、上記他のリモコンの電源スイッチが押されて上記リモコン部の作動が開始された場合に、モニタの画面をリモコン部からの画像に切り替えないことを特徴とする。
【００１３】
風呂リモコンに設けられたリモコン部用の電源スイッチが押されてリモコン部の運転が開始されると、モニタにテレビ部からの画像やインターホンの親機からの画像が表示されていてもリモコン部からの画像に切り替える。一方、台所リモコンのように、風呂リモコン以外のリモコンの電源スイッチが押されたことによって風呂リモコンのリモコン部の作動が開始された場合であって、既にモニタにはテレビ部からの画像やインターホンからの画像を表示させている場合には、モニタの表示はテレビ部やインターホンからの画像のままで切り替えないこととした。
【００１４】
なお、リモコン部からの画像とテレビ部からの画像とのいずれか一方がモニタに表示されている状態で、インターホンの親機からの画像が入力されると、その親機からの画像を優先してモニタに表示させることが望ましい。
【００１５】
【発明の実施の形態】
図１を参照して、１は戸建ての家屋である。この家屋には給湯装置２１を中心に構成された給湯装置制御系統２と、インターホン親機４１を中心に構成されたインターホン系統４とが設置されている。
【００１６】
家屋１には浴室１１、台所兼居間１２、個室１３が設けられている。浴室１１には本発明による風呂リモコン３が設置されており、この風呂リモコン３は通信線３１を介して給湯装置２１に接続されている。また、給湯装置２１には台所兼居間１２に設置された台所リモコン２２が接続されている。
【００１７】
一方、インターホン親機４１にはテレビカメラを備えた玄関子機４２が接続されている。また、個室１３に設置された子機４３，４４がインターホン親機４１に接続されている。このインターホン親機４１にはさらに浴室子機５が通信線５１を介して接続されている。
【００１８】
なお、図１では戸建ての家屋に給湯装置制御系統２とインターホン系統４とを設けた実施の形態を示したが、マンション等の集合住宅に設置してもよい。なお、その際には、玄関子機４２はマンションの玄関部分に設置される。
【００１９】
図２を参照して、風呂リモコン３には液晶モニタ３２が取り付けられている。また、この風呂リモコン３内には上記給湯装置２１の作動を制御するためのリモコン部が内蔵されている。さらに、液晶モニタ３２にテレビ画像を表示させるためのテレビ部が内蔵されている。
【００２０】
テレビ部を作動させるための電源スイッチ３３が設けられており、この電源スイッチ３３を押すと液晶モニタ３２のバックライトが点灯し、さらにテレビ部から出力されるテレビ画像が液晶モニタ３２に映し出される。
【００２１】
一方、リモコン部を作動させるための電源スイッチ３４が設けられており、この電源スイッチ３４を押すとリモコン部の作動が開始される。ところで、上記台所リモコン２２にも電源スイッチ２２ａ（図１参照）が設けられており、電源スイッチ３４および電源スイッチ２２ａのいずれを押しても、風呂リモコン３のリモコン部と台所リモコン２２との双方の電源が入り、リモコンとしての作動が開始される。
【００２２】
ところで、風呂リモコン３のリモコン部およびテレビ部の双方とも電源が入っていない状態で、電源スイッチ３３を押せば上記のように液晶モニタ３２にはテレビ画像が表示され、電源スイッチ３４または電源スイッチ２２ａを押せば液晶モニタ３２にはリモコン用の表示がされる。
【００２３】
次に、液晶モニタ３２にテレビ画像が表示されている状態で、かつリモコン部に電源が入っていない状態で電源スイッチ３４が押されると、リモコン部の電源が入ると共に液晶モニタ３２の表示はリモコン用の表示に切り変わる。
【００２４】
このように、リモコン部とテレビ部との双方とも電源が入っていると、次に電源スイッチ３３が押されると液晶モニタ３２の表示はテレビ画像に戻り、その後電源スイッチ３４が押されるとリモコン用に表示に戻るように構成されている。なお、その状態で続けて電源スイッチ３４を押せばリモコン部の電源が切れるようにした。同じくテレビ画像が表示されている状態で電源スイッチ３３を押せばテレビ部の電源が切れるようにした。３５は左右１対のスピーカであり、３６は各種設定用の十字キーである。
【００２５】
浴室子機５が外部から呼ばれると、ブザー音がスピーカ５４から発音される。すると、通話スイッチ５２を押しながらしゃべった内容がマイク５３で電気信号に変換され、他の子機もしくは親機４１に送信される。なお、５６は呼出スイッチであり、浴室子機５から例えばインターホン親機４１や子機４３，４４を呼び出す際に押すと相手側に呼び出し音が発音される。
【００２６】
ところで、風呂リモコン３と浴室子機５とは、３本のラインで接続されている。６１は玄関子機４２のカメラで撮像された画像を浴室子機５から風呂リモコン３へ送信するためのラインである。また、６２は給湯装置２１の作動状態を示す音声信号を風呂リモコン３側から浴室子機５へと送信するためのラインである。そして、６３は相互に制御信号を送受信するためのラインである。
【００２７】
５５はモニタスイッチであり、このモニタスイッチ５５を押すと玄関子機４２で撮像された画像が風呂リモコン３に出力されると共にその画像を液晶モニタ３２に表示させる制御信号が風呂リモコン３に送信され、玄関の画像が液晶モニタ３２に映し出される。なお、５７は玄関のロックを開錠および施錠するための施開錠スイッチである。
【００２８】
図２では風呂リモコン３と浴室子機５とを上下に離間して示したが、実際には両者の間に隙間を設けないように設置することによりデザイン上の一体感を出してもよく、あるいは風呂リモコン３と浴室子機５とを一体に作成してもよい。
【００２９】
図３を参照して、電源スイッチ３４および電源スイッチ２２ａのいずれか一方が押されてリモコンがＯＮされると（Ｓ１）、両電源スイッチ３４，２２ａのいずれが押されたのかを風呂リモコン３のリモコン部もしくは給湯装置２１の制御部で判断する。風呂リモコン３の電源スイッチ３４が押されたのであれば、液晶モニタ３２にはリモコン用の画像を表示させるが（Ｓ２，Ｓ３）、電源スイッチ３４が押されたのではない場合、すなわち電源スイッチ２２ａが押された場合には、まずテレビ部が作動しており、液晶モニタ３２にはテレビ画像が表示されているかを判断する（Ｓ２，Ｓ４）。
【００３０】
テレビ画像が表示されていればテレビ画像表示を優先させてそのままテレビ画像を表示し続ける（Ｓ４，Ｓ５）。テレビ用の電源スイッチ３３が押されてテレビ部の作動が停止するか、最初からテレビ部が作動していない場合には、インターホンが作動し、液晶モニタ３２に玄関の画像が表示されていないかを判断する（Ｓ４，Ｓ６）。液晶モニタ３２にインターホン側からの画像が表示されている場合には、その画像の表示を優先させてインターホンの作動が停止されるまでのその状態を保持する（Ｓ６，Ｓ７）。
【００３１】
そして、テレビ部の作動が停止し、かつインターホンが停止した状態になるとリモコン用の画像を液晶モニタ３２に表示させるようにした（Ｓ６，Ｓ３）。なお、テレビ画像が表示されている状態やインターホンからの画像が表示されている状態であっても、風呂リモコン３の電源スイッチ３４が押されると液晶モニタ３２の表示はリモコン画面に強制的に切り替えられる（Ｓ２，Ｓ３）。
【００３２】
ところで、テレビ部からの画像をモニタ３２に表示させている状態で、玄関子機４２の呼出スイッチを来訪者が押すと、インターホン親機４１は玄関子機４２のカメラが撮像した来訪者の画像を浴室子機５に送る。すると、浴室子機５はその画像データを風呂リモコン３に転送すると共に、画像を切り替える制御信号を風呂リモコンに送信する。この制御信号を風呂リモコンが受信すると、液晶モニタ３２の表示がリモコン用の画像やテレビ画像であっても優先的にリモコン側の画像を表示させるように構成されている。
【００３３】
【発明の効果】
以上の説明から明らかなように、本発明は、浴室以外のリモコンの電源スイッチが押されても、テレビ画像やインターホン側の来訪者の画像が表示されている状態では、リモコンの表示に切り替わらないようにしたので、入浴中にテレビ画像や来訪者の画像を見ている場合に突然画像が切り替わって驚くという不具合が生じない。
【図面の簡単な説明】
【図１】本発明の一実施の形態の構成を示す図
【図２】風呂リモコンと浴室子機との関係を示す図
【図３】画像優先順位を示すフロー図
【符号の説明】
１  家屋
２  給湯装置制御系統
３  風呂リモコン
４  インターホン系統
５  浴室子機
１１  浴室
１２  台所兼居間
２１  給湯装置
２２  台所リモコン
４１  インターホン親機
４２  玄関子機
【図１】
2004293974.tif 000003
【図２】
2004293974.tif 000004
【図３】
2004293974.tif 000005